(57)【要約】【課題】  反復使用できる保温及び冷却パットの作用時間を延長すると共に、前記パットを装着の上着衣をつけた場合、外観を乱すことなく更にシルエットを向上する保温及び冷却パットを提供する。【解決手段】  従来、着衣の下あるいは着衣に縫い付けて使用していた肩パット・腰パット、ヒップパット・胸パット（豊胸パット）などの形状にあらかじめ成型した皮膚に吸着性のあるシリコン剤の内部にゲル化樹剤を封入したパットによって、熱容量の増加に伴う体積の増加にも係わらず、装着時に外観上目立ちにくく着衣のシルエットを向上する保温及び冷却パットを提供する。【選択図】図１
2005048310.tif 000002
【特許請求の範囲】
【請求項１】
人体皮膚表面に直接貼り付けて使用する保温あるいは冷却パットであって、
体表面に接する外層部は解離吸着能を有する軟性シリコン剤を、着衣のシルエットを向上させるために使用される各種パット（肩パット、腰パット、ヒップパット、豊胸パット等）形状となるように、でパット外層部の皮膚面と接する部分を目的装着部位に適合するように滑らかに移行的に成型したパット外層部と、
前記パット外層部の内部に、保冷、あるいは保温効果のあるゲル化剤を緊密に充填した蓄熱部と、
を含み、
保温及び冷却パットを目的部位に装着した場合、選択的にボリュームを持たせたい部分に厚みを持たせることによって、着衣のシルエットを崩すことなく体形をコントロールし着衣のシルエットを向上させると共に、蓄熱部の体積を増大し、作用時間を増大させたことを特徴とするシルエットを向上する保温及び冷却パット。
【請求項２】
請求項１に記載のシリコン剤で成型した袋状のパット外層部を肌色、あるいは着衣の色に従って着色したことを特徴とするシルエットを向上する保温及び冷却パット。
【発明の詳細な説明】
【技術分野】
【０００１】
本発明は、ねんざ・打撲・スポーツ後のアイシング用、あるいは寒冷刺激を感知する受容体である冷点の集まった、人体の肩から背中に冷却シートを長時間にわたって貼ることで、UCP・脱共役タンパク質を活性化し、消費カロリーを上昇させることによってダイエット効果を生み出す冷却パット、及び腰痛症・肩凝り・筋肉痛・腱鞘炎・関節炎・腹痛時等の温湿機能を持った温熱用具あるいはあんか、湯たんぽ、カイロがわりとしての保暖機能を持った安眠用マットとして使用する保温パットに関する。
【背景技術】
【０００２】
従来、腰痛症・肩凝り・筋肉痛・腱鞘炎・関節炎・腹痛時等の温湿機能を持った温熱用具あるいはあんか、湯たんぽ、カイロがわりとしての保暖機能を持った安眠用マットとして保温パットが使用され、ねんざ・打撲・スポーツ後のアイシング用、あるいは寒冷刺激を感知する受容体である冷点の集まった、人体の肩から背中に冷却シートを長時間にわたって貼ることで、UCP・脱共役タンパク質を活性化し、消費カロリーを上昇させることによってダイエット効果を生み出す冷却パットが使用されている。
冷却シートによって、脳が脂肪を燃焼させるスイッチを入れ、消費カロリーをアップさせているという。そもそも人体には寒さを感じた時、体内で熱を作り出し、体温を一定に保とうとする働きがある。その働きを担うのが、UCP・脱共役タンパク質。このUCPは全身に存在し、脂肪を原料として熱を作り出す働きを持っている。寒さを感じたときには、このUCP・脱共役タンパク質が活性化され、下がってしまった体温を上げる。  そして体の中でも、寒冷刺激を感知する受容体である「冷点」の集まった、肩から背中に冷却シートを長時間にわたって貼ることで、脳にあたかも全身が冷やされているかのような錯覚を起こさせ、UCP・脱共役タンパク質を活性化させることが可能となる。実際に冷却シートを貼った被験者をサーモグラフィーで見てみると、貼る前と比べ、確かに体温が上昇することは実証されている。UCP・脱共役タンパク質が活性化すれば、脂肪が燃焼、その結果として、消費カロリーが増加する。
【発明の開示】
【発明が解決しようとする課題】
【０００３】
しかしながら、前述の如く、保温及び冷却シートを利用して長時間にわたり温度刺激を持続させようとする場合、反復使用が可能な保温及び冷却剤は、体積に比例して比熱が変化するために熱容量を増加し作用時間を増大させるためには、より大きな体積を必要とすることになる。しかしながら容積の増大は、体表面に貼り付けて使用する場合に体型に変化を及ぼし身にまとう着衣のシルエットを崩すことにつながることになる。
【０００４】
本発明 は、斯かる実情に鑑み、比較的大容量の保温及び冷却剤を装着した場合に、着衣のシルエットを崩すことなくむしろ体のボリュームを持たせたい部位に選択的に装着することによって体形をコントロールし、着衣のシルエットを向上させる保温及び冷却パットを提供しようとするものである。
【課題を解決するための手段】
【０００５】
本発明は、着衣のシルエットを向上させるために直接皮膚表面に張り付けるか、又は着衣に付けて使用されるパット（肩パット、腰パット、ヒップパット等）形状で、基本的に皮膚面と接する部分を移行的となる外形に成型した解離吸着作用を有するシリコン剤で構成し、その内部に保冷及び保温効果のあるゲル化剤を充填することによって、ゲル化剤の体積を増やし作用時間を増大した保冷及び冷却パットをボリュームを持たせたい部分に選択的に装着することによって、装着時に目立ちにくいばかりか、逆にシルエットを向上する保温及び冷却パットに係るものである。
【０００６】
上記手段によれば、以下のような作用が得られる。
【発明の効果】
【０００７】
本発明の請求項１〜２に記載のシルエットを向上する保温及び冷却パットによれば、従来、着衣の上から目立ちにくくするため可及的に薄いシート状に作られていた保温及び冷却パットを、ゲル化剤を保有したシリコンの外層剤の形状を、着衣のシルエットを向上させるために使用されるパット（肩パット、腰パット、ヒップパット等）形状に成型することによって、装着時に目立ちにくいばかりか、反復使用可能な保温及び冷却剤の体積を可及的に増大し、作用時間を増大させることが可能となり、パットを装着して着衣をつけた場合、さらに着衣のシルエットを向上するという優れた効果を奏し得る。
また、シリコン剤で成型した袋状のパット外層部を肌色、あるいは着衣の色に従って着色した保温及び冷却パットでは、ニットなど内側が透けて見える素材であってもパット自体が目立つことがない。
【発明を実施するための最良の形態】
【０００８】
以下、本発明の実施の形態を添付図面を参照して説明する。  図１〜図３は発明を実施する形態の一例であって、図中、図  と同一の符号を付した部分は同一物を表わし、基本的な構成は図に示す従来のものと同様である。
【０００９】
次に、上記した実施の形態の作動を説明する。  図１は、本発明の一実施例である冷却肩パットの断面を示す図である。図に示すようにゲル化剤をシリコン樹脂で包み込み、シリコン外層部皮膚接触面３の皮膚表面に触れる側を解離吸着がある表面性状とし、あらかじめ図3に示すように装着部位である肩の湾曲に適合した形状とすることによって更に吸着力を増し装着時に位置ずれすることなく図 3に示すように着衣５はシリコン外層部３の適度な豊隆によって肩のラインを引き立たせシルエットを向上させる。
【００１０】
尚、本発明のシルエットを向上する保温及び冷却パットは、上記した実施の形態に限定されるものではなく、着衣の下に装着、あるいは着衣に縫い付けて使用していた肩パット・腰パット、ヒップパット、胸パット（豊胸パット）形状や、保温及び冷却効果を発揮するゲル化剤の種類、外層シリコン剤の表面性状など本発明の要旨を逸脱しない範囲内において種々変更を加え得ることは勿論である。
【産業上の利用可能性】
【００１１】
本発明の保温及び冷却パットは、保温パットとして腰痛症・肩凝り・筋肉痛・腱鞘炎・関節炎・腹痛時等の温湿機能を持った温熱用具あるいはあんか、湯たんぽ、カイロがわりとしての保暖機能を持った安眠用マット、冷却パットとして、ねんざ・打撲・スポーツ後のアイシング用、あるいは寒冷刺激を感知する受容体である冷点の集まった、人体の肩から背中に冷却シートを長時間にわたって貼ることで、UCP・脱共役タンパク質を活性化し、消費カロリーを上昇させることによってダイエット効果を生み出すなどの効能を有し、日常さまざまな場面で使用されている。しかしながら反復使用に耐えうる材質の保温及び冷却剤は、熱容量を増大させ作用時間を増大させるためには体積を増やすことが避けられなかった。この問題を回避するために、一般に体の表面に張り付けて使用する保温及び冷却パットは、極力体積を減少させるためにテープ状のシート表面に薬効成分を含有させることにより冷却効果をえていた。本発明の保温及び冷却パットは、従来着衣の下に装着、あるいは着衣に縫い付けて使用していた肩パット・腰パット、ヒップパット・胸パット（豊胸パット）などの形状に予め成型した皮膚に吸着性のあるシリコンパットの内部にゲル化樹脂を封入したものであるので、シート状のパットに比べて体積容量を増量したにもかかわらずかえって目立ちにくく、さらに装着時の着衣のシルエットを向上することが可能であり、保温及び冷却能力によって各種効能効果を発揮するという優れた点を持っている。
【図面の簡単な説明】
【００１２】
【図１】シルエットを向上する保温及び冷却パットの一実施例の肩パットの断面図である。
【図２】シルエットを向上する保温及び冷却パットの一実施例の肩パットの概観を表面と裏面から見た状態を示す図である。
【図３】シルエットを向上する保温及び冷却パットの一実施例の肩パットを着衣の下に装着した状態を示す図である。
【符号の説明】
【００１３】
１、 保温あるいは冷却パット
２、 シリコン外層部
３、 シリコン外層部皮膚接触面
４、 ゲル化剤
５、 着衣
【図１】
2005048310.tif 000003
【図２】
2005048310.tif 000004
【図３】
2005048310.tif 000005